(57)【要約】【課題】複数の発光画素が配置された表示ユニットにおいて、表示ユニットを複数配置した際に表示ユニット間における線状のノイズを目立たなくし、線状のノイズを低減することを目的とする。【解決手段】複数の発光画素４がＸ方向及びＹ方向の２次元に配置され、Ｘ方向に隣接する２個の発光画素４は、発光画素中心のＹ方向における座標が互いに異なるとともに、Ｙ方向に隣接する２個の発光画素４は、発光画素中心のＸ方向における座標が互いに異なり、Ｘ方向及びＹ方向のそれぞれにおいて、表示ユニット１の外周１３とこの外周１３に近接する２個の発光画素４とのそれぞれの長さｍ、ｋ、ｐ、ｑの和であるＸ方向端長（ｍ＋ｋ）及びＹ方向端長（ｐ＋ｑ）が、表示ユニット１の基準ピッチの２倍以下である。【選択図】図３
2010282009.tif 000002
【特許請求の範囲】
【請求項１】
複数の発光画素がＸ方向及びＹ方向の２次元に配列された表示ユニットであって、
前記表示ユニット内のＸ方向に隣接する２個の発光画素は、発光画素中心のＹ方向における座標が互いに異なるとともに、前記表示ユニット内のＹ方向に隣接する２個の発光画素は、前記発光画素中心のＸ方向における座標が互いに異なり、
前記発光画素のそれぞれが配置される同一直径の配置円を複数個接して配置した場合における前記配置円の直径を基準ピッチとし、
前記表示ユニット内のＸ方向における前記表示ユニットの外周に隣接する２個の発光画素と前記外周とのそれぞれの長さの和であるＸ方向端長が、前記基準ピッチの２倍以下であり、
前記表示ユニット内のＹ方向における前記表示ユニットの外周に隣接する２個の発光画素と前記外周とのそれぞれの長さの和であるＹ方向端長が、前記基準ピッチの２倍以下であることを特徴とした表示ユニット。
【請求項２】
前記Ｘ方向端長はＸ方向における前記表示ユニット内の隣接する前記発光画素の長さである隣接画素間長の平均値の２倍以下であり、前記Ｙ方向端長はＹ方向における前記隣接画素間長の平均値の２倍以下であることを特徴とした請求項１記載の表示ユニット。
【請求項３】
前記基準ピッチをａとし、前記発光画素はこのａにて等間隔に２次元座標に配列された基準点に対して、ｅ＝ａ／５とした場合に、前記発光画素は、その中心のＸ方向座標が前記基準点のＸ方向座標から±ｅ／２以内の範囲であるとともに、その中心のＹ方向座標が前記基準点のＹ方向座標から±ｅ／２以内の範囲であることを特徴とした請求項１記載の表示ユニット。
【請求項４】
前記基準ピッチをａとし、前記発光画素はこのａにて等間隔に２次元座標に配列された基準点に対して、ｅ＝ａ／√２とした場合に、前記発光画素は、その中心のＸ方向座標が前記基準点のＸ方向座標から±ｅ／２以内の範囲であるとともに、その中心のＹ方向座標が前記基準点のＹ方向座標から±ｅ／２以内の範囲であることを特徴とした請求項１記載の表示ユニット。
【請求項５】
前記発光画素は、その中心のＸ方向座標が前記基準点のＸ方向座標から±ｅ／２のいずれかであるとともに、その中心のＹ方向座標が前記基準点のＹ方向座標から±ｅ／２のいずれかであることを特徴とした請求項３または４記載の表示ユニット。
【請求項６】
請求項１乃至５のいずれか１項に記載の表示ユニットが複数配列され、
前記表示ユニットのそれぞれの前記基準ピッチは等しいことを特徴とした映像表示装置。
【発明の詳細な説明】
【技術分野】
【０００１】
この発明は映像表示装置に関し、特に映像表示装置を構成する表示ユニットに関するものである。
【背景技術】
【０００２】
従来、発光ダイオード等の発光表示素子(単に発光素子とも称す)を用いた大型の映像表示装置は、特開平２−３０４８４３号公報の図８に示すように、基板上にマトリクス状に配置された多数の発光素子からなる表示ユニットを複数個組み合わせて構成されていた。このとき、隣接する表示ユニットは、その最も外側の素子間の距離が、表示ユニット内の発光素子ピッチに等しくなるように配置されることで、表示ユニット間の継ぎ目を目立たないようにしていた。しかしながら、一般に複数の表示ユニットを用いた大型の映像表示装置は、表示ユニットの継ぎ目部分で発光素子間隔が不均一になりやすく、この部分で発光素子間隔が近いと明るく、離れると暗くなるために発生する線状のノイズが見える問題があった。
【０００３】
隣接する表示ユニット間における発光素子間隔が、表示ユニット内の発光素子間隔と等しくなるように表示ユニットを精度よく並べれば、上記の問題である線状のノイズを抑えることができる。そこで、特開平２−３０４８４３号公報の図３に示すように、表示ユニット内の４画素を１組として、隣接する組間の組間距離をその組内の画素間距離より長くし、隣接する表示ユニットの発光素子間の距離を長くした組間距離と等しくなるように並べることで、表示ユニットの配置を高精度に並べやすくなるようにしていた。
【先行技術文献】
【特許文献】
【０００４】
【特許文献１】特開平２−３０４８４３号公報（図３、図８）
【発明の概要】
【発明が解決しようとする課題】
【０００５】
しかしながら、従来の大型の映像表示装置は、デバイスの進展にともない、高画質化、高解像度化、狭ピッチ化が要求される近年においては、全ての隣接する表示ユニットの発光素子間の距離をある一定の距離に保つことが困難となり、設置条件等によりその距離がばらつくと隣接する表示ユニット間に線状のノイズが発生するという問題があった。
【０００６】
この発明は、複数の発光画素が配置された表示ユニットにおいて、表示ユニットを複数配置した際に表示ユニット間における線状のノイズを目立たなくし、線状のノイズを低減することを目的とする。
【課題を解決するための手段】
【０００７】
この発明に係る表示ユニットは複数の発光画素がＸ方向及びＹ方向の２次元に配置され、Ｘ方向に隣接する２個の発光画素は、発光画素中心のＹ方向における座標が互いに異なるとともに、Ｙ方向に隣接する２個の発光画素は、発光画素中心のＸ方向における座標が互いに異なり、Ｘ方向及びＹ方向のそれぞれにおいて、表示ユニットの外周とこの外周に近接する２個の発光画素とのそれぞれの長さの和が、表示ユニットの基準ピッチの２倍以下である。
【発明の効果】
【０００８】
この発明に係る表示ユニットは、表示ユニット間における線状のノイズを目立たなくし
、線状のノイズを低減することができる。
【図面の簡単な説明】
【０００９】
【図１】この発明の実施の形態１における映像表示装置を示す図である。
【図２】図１の表示ユニットを示す図である。
【図３】図１の表示ユニットの組み合わせを示す図である。
【図４】図１の表示ユニットにおける垂直方向の境界長を示す図である。
【図５】図１の表示ユニットにおける水平方向の境界長を示す図である。
【図６】この発明の実施の形態２における映像表示装置を示す図である。
【図７】図６の表示ユニットを示す図である。
【図８】この発明の実施の形態３における発光画素配置を説明する図である。
【図９】この発明の実施の形態３における表示マトリクスを示す図である。
【図１０】この発明の実施の形態３における他の表示マトリクスを示す図である。
【図１１】この発明の実施の形態３における表示ユニットを示す図である。
【発明を実施するための形態】
【００１０】
実施の形態１．
図１はこの発明の実施の形態１における映像表示装置を示す図であり、図２は表示ユニットを示す図である。映像表示装置３０は複数の表示ユニット１が配置されて、映像表示装置３０の表示面を構成する。表示ユニット1は４行４列マトリクスに配列された１６個の発光画素４を有している。表示ユニット1の発光画素４の中心ｄの位置は、それぞれマトリクスＸ軸２ａ、２ｂ、２ｃ、２ｄとマトリクスＹ軸３ａ、３ｂ、３ｃ、３ｄとの交点を中心とする半径ａ／２の配置円１２内の偏りのない適当な位置に配置する。ここでマトリクスＸ軸２及びマトリクスＹ軸３のピッチａは表示ユニット１の基準ピッチである。言い換えれば、基準ピッチは、発光画素４のそれぞれが配置される同一直径の配置円１２を複数個接して配置した場合における配置円１２の直径である。
【００１１】
このようにすることで、表示ユニット１の発光画素４におけるＸ方向である水平方向の隣接画素間長ｂｘ及びＹ方向である垂直方向の隣接画素間長ｂｙは、それぞれ０＜ｂｘ≦２ａ、０＜ｂｙ≦２ａの範囲でランダムに配置することができる。また発光画素４を配置円１２内にばらばらに配置することで、発光画素４を０より大きく２ａ以下の範囲でのランダム配置が容易に実現することができる。なお表示ユニット１の外周１３は、外側に位置する１２個の配置円１２に接した四角形である。
【００１２】
表示ユニット１における発光画素４の隣接画素間長ｂの平均値ｂｂについて説明する。まず水平方向の隣接画素間長ｂｘの平均値ｂｂｘを考える。水平方向の隣接画素間長ｂｘは、各行に４個の発光画素４があるので、各行ごとに３個ある。４個の発光画素４の内側の２個は水平方向の座標が変化しても、一方が増えれば他方が減るので平均値に影響はしない。そこで、内側の２個がマトリクスＹ軸３ｂ、３ｃにある場合を考える。水平方向の隣接画素間長ｂｘの平均値ｂｂｘが最大になるのは、外側の２個の発光画素４が外周１３に位置する場合であり、この場合の平均値は（１．５ａ＋ａ＋１．５ａ）／３＝４ａ／３となる。水平方向の隣接画素間長ｂｘの平均値ｂｂｘが最小になるのは、外側の２個の発光画素４が表示ユニット１の内側に位置する場合であり、この場合の平均値は（０．５ａ＋ａ＋０．５ａ）／３＝２ａ／３となる。したがって、水平方向の隣接画素間長ｂｘの平均値ｂｂｘは、２ａ／３≦ｂｂｘ≦４ａ／３となる。
【００１３】
垂直方向の隣接画素間長ｂｙの平均値ｂｂｙも、水平方向の隣接画素間長ｂｘの平均値ｂｂｘと同様に考えることができるので、垂直方向の隣接画素間長ｂｙの平均値ｂｂｙは、２ａ／３≦ｂｂｙ≦４ａ／３となる。表示ユニット１における発光画素４の隣接画素間長の平均値ｂｂは、水平方向の隣接画素間長ｂｘの平均値ｂｂｘと垂直方向の隣接画素間長ｂｙの平均値ｂｂｙの平均値なので、隣接画素間長ｂの平均値ｂｂは２ａ／３≦ｂｂ≦４ａ／３となる。
【００１４】
図３は、図１の表示ユニット１の組み合わせを示す図である。表示ユニット１ａ、１ｂ、１ｃ、１ｄは、発光画素４の配置が同一のものである。水平方向において、表示ユニット１ａの外周１３に隣接する発光画素４は、隣接する表示ユニット１ｂにおける外周１３に隣接する発光画素４に対して、水平方向の隣接画素間長ｔｘがそれぞれｔｘ１、ｔｘ２、ｔｘ３、ｔｘ４で配置される。水平方向の隣接画素間長ｔｘ１、ｔｘ２、ｔｘ３、ｔｘ４はそれぞれ０より大きく２ａ以下である。また、垂直方向において、表示ユニット１ａの外周１３に隣接する発光画素４は、隣接する表示ユニット１ｃにおける外周１３に隣接する発光画素４に対して、垂直方向の隣接画素間長ｔｙがそれぞれｔｙ１、ｔｙ２、ｔｙ３、ｔｙ４で配置される。垂直方向の隣接画素間長ｔｙ１、ｔｙ２、ｔｙ３、ｔｙ４はそれぞれ０より大きく２ａ以下である。
【００１５】
表示ユニット１ａの水平方向において、表示ユニット１ａの外周１３に隣接する２個の発光画素４と外周１３との長さである境界長ｐ、ｑとの和である水平方向端長（Ｘ方向端長）は、基準ピッチａの２倍以下である。また、表示ユニット１ａの垂直方向において、表示ユニット１ａの外周１３に隣接する２個の発光画素４と外周１３との長さである境界長ｍ、ｋとの和である垂直方向端長（Ｙ方向端長）は、基準ピッチａの２倍以下である。図３では境界長ｋ、ｍ、ｐ、ｑは表示ユニット１ａの一部の発光画素４について示したが、図４、図５に表示ユニット１ａの外周１３側の発光画素４についてそれぞれ示した。図４は表示ユニットにおける垂直方向の境界長を示す図であり、図５は表示ユニットにおける水平方向の境界長を示す図である。
【００１６】
このような表示ユニット１を互いに接して配置する。表示ユニット１内において、各発光画素４は隣接する発光画素４の水平方向の隣接画素間長ｂｘ及び垂直方向の隣接画素間長ｂｙがそれぞれ０＜ｂｘ≦２ａ、０＜ｂｙ≦２ａの範囲でランダムである。さらに、隣接する表示ユニット１間において、外周１３を挟んで隣接する２個の発光画素４は水平方向の隣接画素間長ｔｘｎ及び垂直方向の隣接画素間長ｔｙｎもそれぞれ０＜ｔｘｎ≦２ａ、０＜ｔｙｎ≦２ａ（ｎは１から４までの整数）の範囲でランダムである。このように互いに接して配置することで、隣接する表示ユニット１間の水平方向及び垂直方向の隣接画素間長ｔｘｎ、ｔｙｎのばらつきは、表示ユニット１内の水平方向及び垂直方向の隣接画素間長ｂｘ、ｂｙのばらつき範囲内にすることができる。したがって表示ユニット１を接して配置することで、容易に表示ユニット間における線状のノイズを目立たなくし、線状のノイズを低減することができる。
【００１７】
さらに、隣接する表示ユニット１間において、外周１３を挟んで隣接する２個の発光画素４は水平方向の隣接画素間長ｔｘｎ及び垂直方向の隣接画素間長ｔｙｎをそれぞれ０＜ｔｘｎ≦２ｂｂｘ、０＜ｔｙｎ≦２ｂｂｙ（ｎは１から４までの整数）の範囲でランダムに配置するように発光画素４の配置を選択する。このような表示ユニット１を互いに接して配置し、水平方向の隣接画素間長ｔｘｎを平均値ｂｂｘの２倍以下にし、垂直方向の隣接画素間長ｔｙｎを平均値ｂｂｙの２倍以下することで、隣接する表示ユニット１間における水平方向及び垂直方向の隣接画素間長ｔｘｎ、ｔｙｎのばらつきは、表示ユニット１内の水平方向及び垂直方向の隣接画素間長ｂｘ、ｂｙの平均値ｂｂｘ、ｂｂｙのばらつき範囲内にすることができる。水平方向及び垂直方向の隣接画素間長ｂｘ、ｂｙの平均値ｂｂｘ、ｂｂｙは外周１３に近接した発光画素４の配置に大きく依存するので、水平方向の隣接画素間長ｔｘｎ及び垂直方向の隣接画素間長ｔｙｎのばらつきを表示ユニット１内の水平方向及び垂直方向の隣接画素間長ｂｘ、ｂｙの平均値ｂｂｘ、ｂｂｙのばらつき範囲内にすることで、さらに画質を向上させることができる。
【００１８】
実施の形態１の映像表示装置３０は、複数配置する表示ユニットの外周を若干小さく作っておき、表示ユニットの配置後に、表示ユニット内の隣接する表示ユニット間の水平方向及び垂直方向の隣接画素間長がずれた場所にスペーサーを挿入して調整していた従来の映像表示装置とは異なり、外周１３が配置円１２に接した四角形で構成した表示ユニット１をそれぞれ接して配置することで、隣接する表示ユニット１間の水平方向の隣接画素間長ｔｘｎ及び垂直方向の隣接画素間長ｔｙｎのばらつきを、表示ユニット１内の発光画素４の隣接画素間長ｂのばらつきに吸収されるようにすることができる。したがって容易に表示ユニット間における線状のノイズを目立たなくし、線状のノイズを低減することができる。さらに、水平方向の隣接画素間長ｔｘｎ及び垂直方向の隣接画素間長ｔｙｎのばらつきを、表示ユニット１内の水平方向及び垂直方向の隣接画素間長ｂｘ、ｂｙの平均値ｂｂｘ、ｂｂｙのばらつき範囲内にすることで、さらに画質を向上させることができる。
【００１９】
次に隣接する表示ユニット１間の水平方向及び垂直方向の隣接画素間長ｔｘ１乃至ｔｘ４及びｔｙ１乃至ｔｙ４を基準ピッチａと等しくした例について説明する。水平方向端長及び垂直方向端長は基準ピッチａと等しい。隣接する表示ユニット１が設置条件等により、わずかなばらつきが発生する場合を考える。ばらつき長さを±ｃとすると、隣接する表示ユニット１間の発光画素４の隣接画素間長はａ±ｃの範囲でばらつくことになる。表示ユニット１内において、各発光画素４は隣接する発光画素４の水平方向の隣接画素間長ｂｘ及び垂直方向の隣接画素間長ｂｙがそれぞれ０＜ｂｘ≦２ａ、０＜ｂｙ≦２ａの範囲でランダムである。さらに、隣接する表示ユニット１間において、外周１３を挟んで隣接する２個の発光画素４は水平方向の隣接画素間長ｔｘ１乃至ｔｘ４、及び垂直方向の隣接画素間長ｔｙ１乃至ｔｙ４がそれぞれ基準ピッチａに等しい。ここでばらつき長さｃの範囲は、０≦ｃ≦ａである。このようにすることで、隣接する表示ユニット１間の発光画素４の隣接画素間長ｔｘ１乃至ｔｘ４及びｔｙ１乃至ｔｙ４のばらつきが、表示ユニット１内の発光画素４の水平方向の隣接画素間長ｂｘ及び垂直方向の隣接画素間長ｂｙのばらつき範囲以下になり、すなわち表示ユニット１内の発光画素４の隣接画素間長ｂのばらつきに吸収される。したがって表示ユニット１の外周部分で発生しやすい線状のノイズを抑制することができる。
【００２０】
さらに、ｃの範囲を０≦ｃ≦ａ／３にすることで、ａ＋ｃ≦４ａ／３にすることができ、隣接する表示ユニット１間の発光画素４の隣接画素間長ｔｘ１乃至ｔｘ４及びｔｙ１乃至ｔｙ４のばらつきが、表示ユニット１内の発光画素４の水平方向の隣接画素間長ｂｘ及び垂直方向の隣接画素間長ｂｙの平均値ｂｂｘ、ｂｂｙのばらつき範囲内になるので、さらに画質を向上させることができる。
【００２１】
以上のように実施の形態１の表示ユニット１によれば、水平方向に隣接する２個の発光画素４は、発光画素中心の垂直方向における座標が互いに異なるとともに、垂直方向に隣接する２個の発光画素４は、発光画素中心の水平方向における座標が互いに異なり、水平方向及び垂直方向のそれぞれにおいて、表示ユニット１の外周１３とこの外周１３に近接する２個の発光画素４とのそれぞれの長さの和は、表示ユニット１の基準ピッチの２倍以下であるので、表示ユニット間における線状のノイズを目立たなくし、線状のノイズを低減することができる。
【００２２】
実施の形態１の映像表示装置３０によれば、複数配列した表示ユニットが、水平方向に隣接する２個の発光画素４は、発光画素中心の垂直方向における座標が互いに異なるとともに、垂直方向に隣接する２個の発光画素４は、発光画素中心の水平方向における座標が互いに異なり、水平方向及び垂直方向のそれぞれにおいて、表示ユニット１の外周１３とこの外周１３に近接する２個の発光画素４とのそれぞれの長さの和は、表示ユニット１の基準ピッチの２倍以下であるので、表示ユニット間における線状のノイズを目立たなくし、線状のノイズを低減することができる。
【００２３】
なお、複数の表示ユニット１を組み合わせた例として発光画素４の配置が同一のもので説明したが、複数の表示ユニット１は同一の基準ピッチを有するものであれば、発光画素４の配置が異なるものであってもよい。隣接する表示ユニット１間において、発光画素４の隣接画素間長ｂの平均値ｂｂが異なる場合は、水平方向及び垂直方向において、隣接する表示ユニット１間の隣接画素間長ｂｂｘの平均値ｂｂｘ及び隣接画素間長ｂｂｙの平均値ｂｂｙのそれぞれの最小値を適用すればよい。表示ユニット１の発光画素４の配置パターンの数が多い場合には、例えば表示ユニット１の外周側の発光画素４の配置パターンを同一にして、外周側以外である内部の発光画素４の配置パターンを異なるようにしてもよい。このようにすると、映像表示装置３０に適用する際に、発光画素４の配置パターンが異なる表示ユニット１を容易に設計することができる。
【００２４】
実施の形態２．
実施の形態１では、表示ユニット１として発光画素４が比較的少ない画素数の４行４列マトリクスに配置された例で説明したが、実施の形態２では数が多い発光画素４をランダムに配置した表示ユニット及び映像表示装置について説明する。
【００２５】
図６はこの発明の実施の形態２における映像表示装置３０を示す図であり、図７は図６の表示ユニット５を示す図である。映像表示装置３０は複数の表示ユニット５が配置されて、映像表示装置３０の表示面を構成する。表示ユニット５は複数の４行４列の基準マトリクス１１を有している。図７には、第１行目にｎ個の基準マトリクス１１ａａ乃至１１ａｎが配置され、第２行目にｎ個の基準マトリクス１１ｂａ乃至１１ｂｎが配置され、第ｎ行目にｎ個の基準マトリクス１１ｎａ乃至１１ｎｎが配置されている。基準マトリクス１１は、例えば実施の形態１で示した発光画素４がランダム配置された表示ユニット１の４行４列マトリクスを用いる。
【００２６】
発光画素４がランダム配置された基準マトリクス１１を複数配置して画素数の多い表示ユニット５を構成するので、多数の発光画素４をランダムに配置した表示ユニット５を容易に実現することができる。
【００２７】
実施の形態２の表示ユニット５は、その基準マトリクス１１がそれぞれ実施の形態１の効果を有するので、隣接する表示ユニット５間の発光画素４の隣接画素間長ｔｘ、ｔｙのばらつきが、表示ユニット５内の発光画素４の隣接画素間長ｂｘ、ｂｙのばらつきに吸収され、表示ユニット５の外周部分で発生しやすい線状のノイズを抑制することができる。したがって、表示ユニット５間における線状のノイズを目立たなくし、線状のノイズを低減することができる。
【００２８】
実施の形態２の映像表示装置３０は、複数配列した表示ユニット５が外周部分で発生しやすい線状のノイズを抑制するので、表示ユニット５間における線状のノイズを目立たなくし、線状のノイズを低減することができる。
【００２９】
実施の形態３．
実施の形態１及び実施の形態２ではそれぞれの発光画素４の配置領域が広いランダム配置の例を説明したが、実施の形態３では、それぞれの発光画素４の配置領域を狭くすることで発光画素４の偏りを容易に低減できるランダム配置を有する表示ユニットについて説明する。
【００３０】
図８はこの発明の実施の形態３における発光画素配置を説明する図である。図８において、マトリクスＸ軸２ａ、２ｂ、２ｃ、２ｄとマトリクスＹ軸３ａ、３ｂ、３ｃ、３ｄとの交点ｄを中心とする一辺の長さがｅである配置正方形６を考える。この配置正方形６の
頂点を、それぞれｆ、ｇ、ｈ、ｉとする。発光画素４は、その中心が配置正方形６の頂点ｆ、ｇ、ｈ、ｉのいずれかに一致するように配置する。このように配置した例を図９及び図１０に示す。
【００３１】
図９はこの発明の実施の形態３における表示マトリクスである４行４列マトリクス７を示す図である。図９（ａ）は発光画素４の配置図であり、図９（ｂ）は各発光画素４の中心ｄが位置する配置正方形６の頂点を示す図である。ここで、図９（ｂ）におけるＸ１乃至Ｘ４はそれぞれ図８のマトリクスＸ軸２ａ、２ｂ、２ｃ、２ｄに対応し、図９（ｂ）におけるＹ１乃至Ｙ４はそれぞれマトリクスＹ軸３ａ、３ｂ、３ｃ、３ｄに対応する。
【００３２】
図１０はこの発明の実施の形態３における他の表示マトリクスである４行４列マトリクス８を示す図である。図１０（ａ）は発光画素４の配置図であり、図１０（ｂ）は各発光画素４の中心ｄが位置する配置正方形６の頂点を示す図である。
【００３３】
図９及び図１０のいずれも、水平方向に隣接する２個の発光画素４について、その中心ｄの垂直方向座標が互いに異なるとともに、垂直方向に隣接する２個の発光画素４について、その中心ｄの水平方向座標が互いに異なるように、発光画素４が配置されている。さらに、発光画素４が水平方向及び垂直方向において、隣接する２個の発光画素４の隣接画素間長ｂｘ、ｂｙは、長い、短い、中間の長さの３種類が使用されている。隣接する２個の発光画素４の隣接画素間長ｂｂを限定した複数個のみ使用することで、発光画素４の再配置を行うことなく、ばらつきの範囲を一定の範囲にすることができる。
【００３４】
発光画素４が水平方向及び垂直方向において、ピッチａから＋ｅだけ異なった長い隣接画素間長（ａ＋ｅ）とピッチａから−ｅだけ異なった短い隣接画素間長（ａ−ｅ）とが交互に配置され、すなわち隣接する２個の発光画素４間の隣接画素間長が異なっていた場合でかつｅ≦ａ／５である場合には、その発光画素４の位置のばらつきに起因する画質への影響が少ないことが知られている。そこで、配置正方形６の一辺の長さｅが、ａ／５以下の場合を考える。この場合、図９及び図１０においてｅ≦ａ／５となるので、図９及び図１０に示すように、水平方向に隣接する２個の発光画素４について、その中心ｄの垂直方向座標が互いに異なるとともに、垂直方向に隣接する２個の発光画素４について、その中心ｄの水平方向座標が互いに異なるように、発光画素４が配置されている場合にも発光画素４の位置のばらつきに起因する画質への影響を少なくすることができる。
【００３５】
次に４行４列マトリクス７や４行４列マトリクス８を基準マトリクスとして、これを複数配置することで、多数の発光画素４をランダムに配置した表示ユニットを実現できる。図１１はこの発明の実施の形態３における表示ユニットを示す図である。図１１（ａ）は４行４列マトリクス７を複数配置したものであり、図１１（ｂ）は４行４列マトリクス８を複数配置したものである。
【００３６】
実施の形態３の表示ユニットは、実施の形態１および実施の形態２の表示ユニットよりも発光画素４の偏りが低減できる。したがって、実施の形態１および実施の形態２の表示ユニットに比べて、発光画素４の配置の再配置などをすることなく容易に発光画素４の偏りに起因するノイズの発生を抑制でき、画質を向上させることができる。実施の形態３の表示ユニットを図６のように複数配置して映像表示装置３０を構成することで、発光画素４の偏りに起因するノイズの発生を抑制でき、画質を向上させることができる。なお、表示マトリクス７、８を表示ユニットとしてもよい。
【００３７】
なお、実施の形態３では配置正方形６の一辺の長さｅがａ／５以下の場合で説明したが、発光画素４の偏りを容易に少なくできる配置方法はｅがａ／５より大きくてもよい。上述した発光画素４の偏りを容易に少なくできる配置方法は、実施の形態１及び実施の形態
２にも適用できる。配置正方形６が実施の形態１で説明した配置円１２に接する正方形であっても構わない。配置正方形６が配置円１２に接する場合、配置正方形６の一辺の長さｅはｅ＝ａ／√２となる。この場合でも実施の形態１の表示ユニット１よりも発光画素４の偏りを低減することができる。したがって、実施の形態３の配置方法を適用することで、実施の形態１及び実施の形態２の表示ユニットに比べて、発光画素４の配置の再配置などをする箇所を低減できる。これにより、容易に発光画素４の偏りに起因するノイズの発生を抑制でき、画質を向上させることができる。
【００３８】
なお、表示ユニットの外周１３は実際の端ではなく仮想的なものであっても構わない。表示ユニットの外周１３が仮想的な場合であっても、上記で説明したような条件を満たす発光画素４の配置パターンを使用することで、複数の表示ユニットを接して配置することができる。また、複数の表示ユニットが接して配置されていなくても、隣接する表示ユニット間における外周側の発光画素４が互いに上記で説明したような条件を満たしていればよい。この場合でも表示ユニット間における線状のノイズを目立たなくし、線状のノイズを低減することができる。
【００３９】
発光画素４は、単色でも、カラーであっても構わない。発光画素４は、単色の場合には１個の発光素子であってもよく、カラーの場合は３原色の発光素子を組み合わせたものが使用される。
【産業上の利用可能性】
【００４０】
この発明に係る表示ユニットおよび映像表示装置は、競馬場などの公営競技場、野球場、サッカー場等のスタジアム、商業施設等に設置される大画面の映像表示装置に好適に適用できる。
【符号の説明】
【００４１】
１    表示ユニット                ４    発光画素
５    表示ユニット                １０  表示ユニット
１２  配置円                      １３  外周
３０  映像表示装置                ａ    マトリクス軸ピッチ
ｂ    隣接画素間長                ｂｂ  隣接画素間長の平均値
ｄ    マトリクス軸の交点          ｋ    境界長
ｍ    境界長                      ｐ    境界長
ｑ    境界長
【図１】
2010282009.tif 000003
【図２】
2010282009.tif 000004
【図３】
2010282009.tif 000005
【図４】
2010282009.tif 000006
【図５】
2010282009.tif 000007
【図６】
2010282009.tif 000008
【図７】
2010282009.tif 000009
【図８】
2010282009.tif 000010
【図９】
2010282009.tif 000011
【図１０】
2010282009.tif 000012
【図１１】
2010282009.tif 000013